(57)【要約】【課題】  電磁調理器具の空冷に使用される空気の吸気量を十分なものとし、また、清掃しやすく、外観を良好とする。【解決手段】  開口部４が形成された幕板３の前方にスペーサー１１を介して化粧前板５が幕板３を覆うように配設され、幕板と化粧前板の間に隙間１２が形成され、化粧前板の四周全域からの吸気が可能となっている。【選択図】図１
2006174957.tif 000002
【特許請求の範囲】
【請求項１】
電磁調理器具が上部に取り付けられ、電磁調理器具の下方に電磁調理器具を空冷するための通気空間が設けられたキッチンキャビネットにおいて、開口部が形成された幕板の前方にスペーサーを介して化粧前板が幕板を覆うように配設され、幕板と化粧前板の間に隙間が形成され、化粧前板の四周全域からの吸気が可能となっていることを特徴とするキッチンキャビネット。
【請求項２】
幕板の開口部に防虫フィルターが設けられている請求項１記載のキッチンキャビネット。
【発明の詳細な説明】
【技術分野】
【０００１】
本願発明は、キッチンキャビネットに関するものである。
【背景技術】
【０００２】
電磁調理器具が上部に設けられたキッチンキャビネットでは、電磁調理器具の下方に通気空間を備えたものが知られている（たとえば、特許文献１参照）。
【０００３】
図４に示したように、電磁調理器具１が上部に設けられたキッチンキャビネットでは、電磁調理器具１がその使用により発熱し、過熱するのを防止するために、電磁調理器具１の下方に通気空間２が設けられ、通気空間２に空気を流通させることで電磁調理器具１を冷却するようにしている。
【０００４】
吸気は、キッチンキャビネットの上部前方から行うようにしている。
【０００５】
キッチンキャビネットの幕板３に開口部４が形成され、幕板３の前方に、幕板３に対向させて化粧前板５が設けられている。化粧前板５には、開口部４と対向する位置に開口部６が形成されている。開口部６には前側に通気格子７が設けられ、通気格子７の後ろにフィルター８が設けられている。空気は、通気格子７を通じ、フィルター８を経て、幕板３の開口部４から通気空間２内に流入する。このようにして吸気される空気により電磁調理器具１は冷却される。
【０００６】
排気は、電磁調理器具１の後部において行われ、冷却後の空気は、キッチンキャビネットの外部に排出される。
【０００７】
なお、幕板３と化粧前板５の間には、四周全周にわたって防虫パッキン９が設けられ、通気空間２内への虫の侵入を防止している。
【特許文献１】実願平３−１０２６３２号（実開平５−４８７４１号）のＣＤ−ＲＯＭ
【発明の開示】
【発明が解決しようとする課題】
【０００８】
しかしながら、図４に示したキッチンキャビネットには、解決しなければならない課題が幾つかある。
【０００９】
すなわち、図５にも示したように、吸気は、化粧前板５に形成された通気格子７を通じ、開口部６を経て行われるため、吸気量が不足しがちである。また、通気格子７は、露出しているため、埃が付着しやすく、清掃が面倒である。見栄えが悪いという外観上の問題もある。
【００１０】
さらに、フィルター８が汚れた場合の交換は、通気格子７を取り外してからでないと行うことができない。
【００１１】
そして、防虫パッキン９は、防虫効果を得るために、幕板３と化粧前板５の間の四周全周に設ける必要があり、防虫パッキン９の配設が面倒である。
【００１２】
本願発明は、このような事情に鑑みてなされたものであり、吸気量を十分なものとすることができ、清掃しやすく、外観が良好であり、また、フィルターの交換が容易で、防虫効果も容易に実現することができるキッチンキャビネットを提供することを課題としている。
【課題を解決するための手段】
【００１３】
本願発明は、上記の課題を解決するために、第１には、電磁調理器具が上部に取り付けられ、電磁調理器具の下方に電磁調理器具を空冷するための通気空間が設けられたキッチンキャビネットにおいて、開口部が形成された幕板の前方にスペーサーを介して化粧前板が幕板を覆うように配設され、幕板と化粧前板の間に隙間が形成され、化粧前板の四周全域からの吸気が可能となっていることを特徴としている。
【００１４】
本願発明は、第２には、幕板の開口部に防虫フィルターが設けられていることを特徴としている。
【発明の効果】
【００１５】
本願発明の第１のキッチンキャビネットによれば、吸気量を十分なものとすることができ、清掃しやすく、すっきりとした外観となる。
【００１６】
本願発明の第２のキッチンキャビネットによれば、フィルターの交換が容易で、防虫効果を容易に実現することができる。
【発明を実施するための最良の形態】
【００１７】
図１は、本願発明のキッチンキャビネットの一実施形態を示した要部断面図である。図２は、キッチンキャビネットの一実施形態を示した正面図である。
【００１８】
キッチンキャビネットの上部に電磁調理器具１が設けられ、電磁調理器具１の下方に通気空間２が設けられている。通気空間２の下方は収納部１０となっている。
【００１９】
通気空間２への吸気は、キッチンキャビネットの上部前方から可能となっている。
【００２０】
キッチンキャビネットの幕板３に開口部４が形成され、スペーサー１１を介して幕板３の前方に、幕板３を覆うように化粧前板５が設けられている。化粧前板５と幕板３の間には、スペーサー１１により隙間１２が形成されている。電磁調理器具１を空冷する空気は、化粧前板５の四周全域から幕板３との間の隙間１２を通り、幕板３の開口部４から通気空間２へと流入する。
【００２１】
このように、図１および図２に示したキッチンキャビネットでは、化粧前板５の四周全域から吸気可能となっているため、電磁調理器具１の空冷のための吸気量は十分得られる。
【００２２】
また、化粧前板５に、図４および図５に示したような開口部６および通気格子７が設けられないので、通気格子７への埃の付着という問題が解消され、清掃しやすくなっている。そして、図２に示したように、キッチンキャビネットの外観は良好であり、すっきりとしている。
【００２３】
化粧前板５は、図１に示したように、ねじ１３により幕板３に取り付けられている。この取付けは、幕板３の裏側から行われるようになっている。ねじ１３は、スペーサー１１を貫通するようにして化粧前板５にねじ込まれる。スペーサー１１は、たとえば図３に示したように、化粧前板５の裏面の四隅部に配置され、部分的に設けられ、化粧前板５の四周全周に設けられることはない。したがって、化粧前板５と幕板３の間の隙間１２の形成は容易となっている。
【００２４】
幕板３に形成された開口部４には、前側に防虫フィルター１４が設けられている。防虫フィルター１４はたとえば網状とすることができ、通気空間２への虫の侵入を防止する。図４に示した従来のキッチンキャビネットのように、防虫パッキン９を幕板３と化粧前板５の間の四周全周に設ける必要がなく、防虫フィルター１４によって防虫効果が得られる。防虫フィルター１４は、幕板３の裏側から容易に取り外すことができ、汚れや目詰まりが生じたときの交換が容易となっている。
【００２５】
なお、図１に示したキッチンキャビネットでは、排気は、図４に示した従来のキッチンキャビネットと同様に、電磁調理器具１の後部において行われ、電磁調理器具１の空冷に使用された空気は、キッチンキャビネットの外部に排出される。
【００２６】
以上のとおり、図１および図２に示したキッチンキャビネットでは、電磁調理器具１を空冷するための吸気量が十分得られる。また、図１および図２に示したキッチンキャビネットは、清掃しやすく、外観が良好である。しかも、フィルターの交換が容易で、防虫効果も容易に実現することができる。
【図面の簡単な説明】
【００２７】
【図１】本願発明のキッチンキャビネットの一実施形態を示した要部断面図である。
【図２】本願発明のキッチンキャビネットの一実施形態を示した正面図である。
【図３】本願発明のキッチンキャビネットにおけるスペーサーの配置位置を例示した平面図である。
【図４】従来のキッチンキャビネットを例示した要部断面図である。
【図５】従来のキッチンキャビネットを例示した正面図である。
【符号の説明】
【００２８】
１    電磁調理器具
２    通気空間
３    幕板
４    開口部
５    化粧前板
１０    収納部
１１    スペーサー
１２    隙間
１３    ねじ
１４    防虫フィルター
【図１】
2006174957.tif 000003
【図２】
2006174957.tif 000004
【図３】
2006174957.tif 000005
【図４】
2006174957.tif 000006
【図５】
2006174957.tif 000007